(57)【要約】【課題】管部材の屈曲を抑止して円滑に流通させることができる流通接続構造を提供する。【解決手段】床と同一平面上に形成されて床上側に起立することで床下の遮蔽空間５１を露出させる開閉部５３と、遮蔽空間５１に配置されて開閉部５３の下面側に下流端側３ａ，ｂが接続された管部材１ａ，ｂと、この管部材１ａ，ｂの上流端側２ａ，ｂが接続された接続口１１ａ，ｂの向きを、開閉部５３と共に管部材１ａ，ｂの下流端側３ａ，ｂが床上側に起立する動作に追随して変化させる可動軸部が備えられた流通接続具１０とから、流通接続構造としての給排水装置５０が構成されている。【選択図】図２
2018004060.tif 000002
【特許請求の範囲】
【請求項１】
流体が吐出される側の吐出空間と流体が供給される側の遮蔽空間との境界である基準面に対して、前記遮蔽空間側において管部材と共に配置され、前記管部材の上流端側が接続される流通接続具において、
前記上流端側が接続される接続口と、
前記接続口の向きを、前記管部材の下流端側が前記吐出空間側に向けられる動作に追随して変化させる可動軸部と、が備えられた、
ことを特徴とする流通接続具。
【請求項２】
前記管部材の前記下流端側の動作に前記可動軸部を連動させるリンク部が備えられた、
ことを特徴とする請求項１に記載された流通接続具。
【請求項３】
前記可動軸部の軸回りを覆って支持する支持部が備えられた、
ことを特徴とする請求項１または請求項２に記載された流通接続具。
【請求項４】
複数の前記管部材に接続される複数の前記接続口が備えられた、
ことを特徴とする請求項１から請求項３のいずれか１項に記載された流通接続具。
【請求項５】
同軸上の両端に前記可動軸部がそれぞれ備えられると共に、両端の前記可動軸部のそれぞれの外面に前記接続口が連接されて軸本体部が構成され、
一端側の前記可動軸部である一端側可動軸部の内側に流路が形成されると共に、この流路が、前記一端側可動軸部と連接された前記接続口である一端側接続口に連通され、
他端側の前記可動軸部である他端側可動軸部の内側に流路が形成されると共に、この流路が、前記他端側可動軸部と連接された前記接続口である他端側接続口に連通され、
一端側の前記支持部である一端側支持部に前記一端側可動軸部が支持され、
他端側の前記支持部である他端側支持部に前記他端側可動軸部が支持された、
ことを特徴とする請求項４に記載された流通接続具。
【請求項６】
流体が吐出される側の吐出空間と流体が供給される側の遮蔽空間との境界である基準面において開閉軸部を軸として前記吐出空間側に起立することで、前記遮蔽空間を露出させる開閉部と、
前記遮蔽空間に配置されて前記開閉部に下流端側が取り付けられた管部材と、
請求項１から請求項５のいずれか１項に記載された流通接続具と、から構成され、
前記開閉部と同じ向きに回転することで前記流通接続具の接続口の向きが変化する、
ことを特徴とする流通接続構造。
【請求項７】
前記遮蔽空間が形成された筐体と、この筐体の蓋である前記開閉部とから、
前記基準面である床を自在に移動する可搬式吐水装置と接続される給排水装置が構成された、
ことを特徴とする請求項６に記載された流通接続構造。
【発明の詳細な説明】
【技術分野】
【０００１】
本発明は、流体の流路に接続される流通接続具および流通接続構造に関するものである。
【背景技術】
【０００２】
従来、理美容施設のシャンプーボールや、飲食施設および医療施設の流し台などの吐水設備は、キャスターが備えられた可搬式のものがあり、使用時に所定の位置まで移動させ、床に設けられた給排水設備に接続して用いられる。この様な可搬式の吐水設備として、例えば下記特許文献１に記載された理美容院におけるシャンプーシステムがある。このシャンプーシステムは、移動用シャンプーユニットと床下ユニットとから構成されている。
【０００３】
移動用シャンプーユニットは、シャワーホースが接続された給湯接続管が備えられている。一方、床下ユニットは、水受けケースが床下に設けられ、床下に施設された給湯管の端部が水受けケース内で上向きに開口している。使用時には、移動用シャンプーユニットが床下ユニットの上に配置され、給湯接続管が押し下げられて給湯管に接続される。
【先行技術文献】
【特許文献】
【０００４】
【特許文献１】特開平６−８６７１２号公報
【発明の概要】
【発明が解決しようとする課題】
【０００５】
ここで、仮に床下ユニット側の給湯管が床上に露出する構成とした場合、給湯管を床上に引っ張り出し、また戻す必要があるため、例えば、可撓性の素材で形成し、または蛇腹状の配管を用いることで自在に給湯管が変形する構成とすることなどが考えられる。しかし、必要以上に給湯管が屈曲すると、圧力損失が生じる場合がある。そのため、給湯管の耐久性を高める必要が生じる。
【０００６】
本発明は、上記の実情に鑑みて提案されたものである。すなわち、配管の屈曲を抑止して円滑に流通させることができる流通接続具および流通接続構造の提供を目的とする。
【課題を解決するための手段】
【０００７】
上記目的を達成するために、本発明に係る流通接続具は、流体が吐出される側の吐出空間と流体が供給される側の遮蔽空間との境界である基準面に対して、前記遮蔽空間側において管部材と共に配置され、前記管部材の上流端側が接続される流通接続具において、前記上流端側が接続される接続口と、前記接続口の向きを、前記管部材の下流端側が前記吐出空間側に向けられる動作に追随して変化させる可動軸部と、が備えられた、ことを特徴とする。
【０００８】
本発明に係る流通接続具は、前記管部材の前記下流端側の動作に前記可動軸部を連動させるリンク部が備えられた、ことを特徴とする。
【０００９】
本発明に係る流通接続具は、前記可動軸部の軸回りを覆って支持する支持部が備えられた、ことを特徴とする。
【００１０】
本発明に係る流通接続具は、複数の前記管部材に接続される複数の前記接続口が備えられた、ことを特徴とする。
【００１１】
本発明に係る流通接続具は、同軸上の両端に前記可動軸部がそれぞれ備えられると共に、両端の前記可動軸部のそれぞれの外面に前記接続口が連接されて軸本体部が構成され、一端側の前記可動軸部である一端側可動軸部の内側に流路が形成されると共に、この流路が、前記一端側可動軸部と連接された前記接続口である一端側接続口に連通され、他端側の前記可動軸部である他端側可動軸部の内側に流路が形成されると共に、この流路が、前記他端側可動軸部と連接された前記接続口である他端側接続口に連通され、一端側の前記支持部である一端側支持部に前記一端側可動軸部が支持され、他端側の前記支持部である他端側支持部に前記他端側可動軸部が支持された、ことを特徴とする。
【００１２】
本発明に係る流通接続構造は、流体が吐出される側の吐出空間と流体が供給される側の遮蔽空間との境界である基準面において開閉軸部を軸として前記吐出空間側に起立することで、前記遮蔽空間を露出させる開閉部と、前記遮蔽空間に配置されて前記開閉部に下流端側が取り付けられた管部材と、請求項１から請求項５のいずれか１項に記載された流通接続具と、から構成され、前記開閉部と同じ向きに回転することで前記流通接続具の接続口の向きが変化する、ことを特徴とする。
【００１３】
本発明に係る流通接続構造は、前記遮蔽空間が形成された筐体と、この筐体の蓋である前記開閉部とから、前記基準面である床を自在に移動する可搬式吐水装置と接続される給排水装置が構成された、ことを特徴とする。
【発明の効果】
【００１４】
本発明に係る流通接続具は、上記した構成である。すなわち、管部材の下流端側の向きが基準面よりも吐出空間側に変化すると共に、可動軸部が連動することで、管部材の上流端側が下流端側の向きの変化に追随する。このように、管部材は、下流端側および上流端側の向きが連動して変化し、管部材全体として変位するため、仮に上流端側が固定されて下流端側のみが変位させられる場合と比較して、管部材に必要以上の負荷がかかることがない。したがって、管部材の屈曲を抑止して円滑に流通させることができる。
【００１５】
本発明に係る流通接続具は、管部材の下流端側の動作に可動軸部を連動させるリンク部が備えられている。すなわち、リンク部が作動することで、管部材の下流側と可動軸部とが連動する。したがって、管部材に必要以上の負荷がかかることがなく、管部材の屈曲を抑止して円滑に流通させることができる。
【００１６】
本発明に係る流通接続具は、可動軸部の軸回りを覆って支持する支持部が備えられている。この構成により、可動軸部が外部から遮蔽されるため、可動軸部と支持部との間に異物が挟まることを防いで可動軸部を円滑に作動させることができる。
【００１７】
本発明に係る流通接続具は、複数の管部材に接続される複数の接続口が備えられている。したがって、温度や性質の異なる二種類の流体を流通させることができる。
【００１８】
本発明に係る流通接続具は、同軸上の両端に可動軸部がそれぞれ備えられると共に、両端の可動軸部のそれぞれの外面に接続口が連接されて軸本体部が構成され、一端側の可動軸部である一端側可動軸部の内側に流路が形成されると共に、この流路が、一端側可動軸部と連接された接続口である一端側接続口に連通され、他端側の可動軸部である他端側可動軸部の内側に流路が形成されると共に、この流路が、他端側可動軸部と連接された接続口である他端側接続口に連通され、一端側の支持部である一端側支持部に一端側可動軸部が支持され、他端側の支持部である他端側支持部に他端側可動軸部が支持されている。この構成により、流体が、一端側可動軸部および一端側接続口を通って管部材を流通し、同様に、他の流体が、他端側可動軸部および他端側接続口を通って管部材を流通する。また、一端側可動軸部が一端側支持部に支持されると共に遮蔽され、同様に、他端側可動軸部が他端側支持部に支持されると共に遮蔽される。したがって、二種類の流体を互いに干渉させずに流通させることができ、また、各可動軸部と各支持部との間に異物が挟まることを防いで各可動軸部を円滑に作動させることができる。また、各可動軸部の両端が各支持部によって支持されているので、偏心荷重が発生しない。したがって、回転に伴うパッキンなどの消耗材の劣化を抑制することができる。
【００１９】
本発明に係る流通接続構造は、流体が吐出される側の吐出空間と流体が供給される側の遮蔽空間との境界である基準面において開閉軸部を軸として吐出空間側に起立することで、遮蔽空間を露出させる開閉部と、遮蔽空間に配置されて開閉部に下流端側が取り付けられた管部材と、上記した流通接続具と、から構成され、開閉部と同じ向きに回転することで流通接続具の接続口の向きが変化するものである。この構成により、開閉部が開閉軸部を軸として起立すると共に管部材の下流端側が起立して、この下流端側が遮蔽空間から吐出空間側に露出すると、この動作に可動軸部が連動する。すなわち、管部材は、下流端側が起立することに追随して、上流端側が接続口と共に同じ方向に回転する。したがって、管部材に必要以上の負荷がかかることがなく、管部材の屈曲を抑止して円滑に流通させることができる。
【００２０】
本発明に係る流通接続構造は、遮蔽空間が形成された筐体と、この筐体の蓋である開閉部とから、基準面である床を自在に移動する可搬式吐水装置と接続される給排水装置が構成されている。この構成により、床下に設置される給排水装置と、床上を移動する可搬式吐水装置とが接続される場合において、開閉部が開閉する際、管部材に必要以上の負荷がかかることがなく、管部材の屈曲を抑止して円滑に流通させることができる。
【図面の簡単な説明】
【００２１】
【図１】本発明の実施形態に係る流通接続構造が示された外観斜視図である。
【図２】本発明の実施形態に係る流通接続構造において開閉部が閉じた状態の外観が示され、（ａ）は流通接続具の斜視図、（ｂ）は流通接続構造の斜視図である。
【図３】本発明の実施形態に係る流通接続構造において開閉部が起立した状態の外観が示され、（ａ）は流通接続具の斜視図、（ｂ）は流通接続構造の斜視図である。
【図４】本発明の実施形態に係る流通接続具の外観が示され、（ａ）が平面図、（ｂ）が側面図、（ｃ）が斜視図、（ｄ）がＡ−Ａ断面正面図である。
【図５】本発明の実施形態に係る流通接続具の拡大分解斜視図である。
【図６】本発明の実施形態に係る流通接続構造の平面図である。
【図７】本発明の実施形態に係る流通接続構造のＢ−Ｂ断面側面が示され、（ａ）は開閉部が閉じた状態におけるリンク部の説明図、（ｂ）は開閉部が開いた状態におけるリンク部の説明図、（ｃ）は開閉部が起立した状態におけるリンク部の説明図である。
【図８】本発明の実施形態に係る流通接続構造のＣ−Ｃ断面側面が示され、（ａ）は開閉部が閉じた状態における管部材の説明図、（ｂ）は開閉部が開いた状態における管部材の説明図、（ｃ）は開閉部が起立した状態における管部材の説明図である。
【発明を実施するための形態】
【００２２】
以下に、本発明の実施形態に係る流通接続構造を図面に基づいて説明する。図１は、本発明の実施形態に係る流通接続構造としての可搬式吐水装置４０と給排水装置５０とが合体した状態が示されている。図２および図３は、本発明の実施形態に係る流通接続具１０、および、流通接続構造としての給排水装置５０が示されている。ここで、図２は、給排水装置５０の開閉部５３が閉じた状態が示され、図３は、開閉部５３が開いた状態が示されている。図２（ａ）および図３（ａ）は、開閉部５３の開閉に伴う変形前後の流通接続具１０が示されている。
【００２３】
図１に示されているとおり、流通接続構造は、基準面である床（図示省略）を境界として、流体（図示省略）が吐出される側の吐出空間である床上と、流体が供給される側の遮蔽空間５１である床下とにそれぞれ配置された次の各装置から構成されている。すなわち、流通接続構造は、床上を自在に移動する可搬式吐水装置４０と、床下に備えられた給排水装置５０とから構成され、両装置４０，５０が接続される。
【００２４】
可搬式吐水装置４０は、床上を自在に移動することができる可搬式のシャンプーボール４３であり、次の各部から構成されている。すなわち、キャスター４１が取り付けられたフレーム部４２と、このフレーム部４２の上方に備えられたシャンプーボール４３とから可搬式吐水装置４０が構成されている。シャンプーボール４３は、例えば陶器製であり、被施術者（図示省略）の頭部などが支持される頭部支持器具４４が備えられている。また、シャンプーボール４３の内側は、水量を調節するバルブ４５および水を噴射させるシャワーヘッド４６が備えられている。シャワーヘッド４６はフレーム部４２の内部に配置されたホース（図示省略）と接続され、このホースが給排水装置５０と接続される。
【００２５】
一方、図２および図３に示されているとおり、流通接続構造としての給排水装置５０は、次の各部から構成されている。すなわち、内側に遮蔽空間５１が形成されると共に、この遮蔽空間５１に各部が収容された筐体５２と、この筐体５２の上面に取り付けられる蓋（図示省略）と、この蓋の一部である開閉部５３と、この開閉部５３の下面側に形成された給排水接続部５５と、遮蔽空間５１に配置された流通接続具１０と、遮蔽空間５１において流通接続具１０の各接続口１７ａ，ｂと給排水接続部５０とに接続された複数の管部材１ａ，ｂと、遮蔽空間５１において流通接続具１０と給排水接続部５５とに連結されたリンク部６０とから給排水装置５０が構成されている。なお、以下の説明では、図２および図３において、上流側を後方とし、下流側を前方とし、床下方向を下方とし、床上方向を上方とし、側方における一端側を右方とし、他端側を左方とする。
【００２６】
筐体５２は、箱状に形成され、床下において筐体５２の後方から内側に向けて給水配管４ａ，ｂが貫通して取り付けられている。筐体５２の内側において、給水配管４ａ，ｂは下流側に流通接続具１０が接続されている。流通接続具１０は、下流側における各接続口１７ａ，ｂに管部材１ａ，ｂの上流端側２ａ，ｂが接続され、この管部材１ａ，ｂの下流端側３ａ，ｂが給排水接続部５５に接続されている。給排水接続部５５は、給水接続口５６、給湯接続口５７および排水接続口５８が取り付けられ、管部材１ａ，ｂの各下流端側３ａ，ｂが給水接続口５６および給湯接続口５７に接続されている。給排水接続部５５の上面である開閉部５３は、平板状に形成されて蓋の一部を構成し、蓋と共に床と同一平面上に配置されている。開閉部５３は、後方端が開閉軸部５４を介して蓋に連結され、開閉軸部５４を軸として床上側に起立することで遮蔽空間５１を露出させる。なお、開閉軸部５４は、
【００２７】
ここで、流通接続具１０を図面に基づいて詳説する。図４および図５は、本発明の実施形態に係る流通接続具１０の外観が示されている。
【００２８】
図４および図５に示されているとおり、流通接続具１０は、同軸上の左右両端が管状に形成された軸本体部１２と、この軸本体部１２の両端にそれぞれ連結された各支持部２１ａ，ｂと、この支持部２１ａ，ｂ同士を連結するための連結板２４と、各支持部２１ａ，ｂに接続された各連結部材２５ａ，ｂとから構成されている。
【００２９】
軸本体部１２は、ほぼ円柱の棒状であって中心に対して左右対称に形成され、同軸上の左右両端に、それぞれ一端側可動軸部１３ａおよび他端側可動軸部１３ｂが形成されている。各可動軸部１３ａ，ｂは管状であり、内側にそれぞれ流路１４ａ，ｂが形成されている。すなわち、各可動軸部１３ａ，ｂのそれぞれの流路１４ａ，ｂは独立しており、互いに連通していない（図４（ｄ）参照）。
【００３０】
軸本体部１２は、中央の外面にリンク連結部１５が形成され、このリンク連結部１５の左右両端における各可動軸部１３ａ，ｂのそれぞれの外面に、それぞれ一端側接続口１７ａおよび他端側接続口１７ｂが連接されている。各接続口１７ａ，ｂは管状であり、軸本体部１２に対して直交して外面から突出すると共に、各可動軸部１３ａ，ｂの各流路１４ａ，ｂと連通している。すなわち、一端側接続口１７ａと一端側可動軸部１３ａとが連接されると共に、内側が連通し、他端側接続口１７ｂと他端側可動軸部１３ｂとが連接されると共に、内側が連通している。各可動軸部１３ａ，ｂは、各接続口１７ａ，ｂの左右両側に環状のフランジ１８ａ，ｂが形成され、連結リング１９ａ，ｂおよびＹパッキン２０ａ，ｂ，ｃ，ｄを介して、それぞれ一端側支持部２１ａおよび他端側支持部２１ｂに軸周りが覆われて支持されている。
【００３１】
各支持部２１ａ，ｂは六面体であり、左右に貫通した支持孔２２ａ，ｂが形成されている。一端側支持部２１ａの右方側の面、および他端側支持部２２ｂの左方側の面は、それぞれナット２３ａ，ｂが取り付けられ、各支持部２１ａ，ｂの上方の面は、連結板２４が取り付けられている。連結板２４は平板状であり、下方側の面における左右両端に各支持部２１ａ，ｂが取り付けられている。なお、各支持部２１ａ，ｂは、各可動軸部１３ａ，ｂを支持することができ、連結板２４によって連結される構成であれば、六面体以外の形状であってもよいが、成形や連結板２４との連結が簡便であるため、六面体であることが好ましい。
【００３２】
各支持部２１ａ，ｂの左右両端は、それぞれ一端側連結部材２５ａおよび他端側連結部材２５ｂが連結されている。各連結部材２５ａ，ｂは、Ｌ字状に屈曲した管状の第一連結管２６ａ，ｂと、管状に形成された第二連結管２７ａ，ｂと、筐体５２に固定させるための支持板２８ａ，ｂと、止水栓２９ａ，ｂとから構成されている。一端側連結部材２５ａは、第一連結管２６ａが一端側支持部２１ａの右方側にナット２３ａを介して連結され、この第一連結管２６ａに第二連結管２７ａが連結され、この第二連結管２７ａに、支持板２８ａを介して止水栓２９ａが連結されている。一方、他端側連結部２５ｂは、第二連結管２７ｂが、他端側支持部２１ｂの左方側にナット２３ｂを介して連結され、この第二連結管２７ｂに第一連結管２６ｂが連結され、この第一連結管２６ｂに、支持板２８ｂを介して止水栓２９ｂが連結されている。
【００３３】
軸本体部１２のリンク連結部１５は、リンク部６０が連結される部分であり、平坦に形成されている。リンク連結部１５の平坦面１６は、各接続口１７ａ，ｂの開口面と同じ方向に向けられている。なお、リンク部６０を連結することができる構成であれば、平坦以外の形状であってもよいが、成形が簡便であるため、平坦であることが好ましい。
【００３４】
ここで、リンク部６０を図面に基づいて説明する。図６は、本発明の実施形態に係る流通接続構造としての給排水装置５０を上方から視した平面図であり、流通接続具１０に連結されたリンク部６０が示されている。図７は、図６におけるＢ−Ｂ断面が示され、リンク部６０の動作の過程が示されている。
【００３５】
図６に示されているとおり、リンク部６０は、給排水装置５０において、流通接続具１０と開閉部５３とに連結されると共に、管部材１ａ，ｂ同士の間に配置されている。詳説すれば、図７に示されているとおり、リンク部６０は、二か所に各関節部６４，６５を有する板状の部材であり、流通接続具１０のリンク連結部１５に連結された第一リンク片６１と、この第一リンク片６１に第一関節部６４を介して連結された第二リンク片６２と、この第二リンク片６２に第二関節部６５を介して連結されると共に開閉部５３（または開閉軸部５４）に連結された第三リンク片６３とから構成されている。
【００３６】
図７（ａ）に示されているとおり、開閉部５３が閉じている状態において、リンク連結部１５は下方側に向けられている。この状態で、開閉部５３が作動して床上側に開くと、図７（ｂ）に示されているとおり、開閉部５３に第三リンク片６３が引き上げられることで（または開閉軸部５４と共に回転することで）、第二リンク片６２および第一リンク片６１が各関節部６４，６５を介して連動し、リンク連結部１５の向きが変化する。同時に、開閉部５３が開く方向と同じ向きに（または開閉軸部５４が回転する方向と同じ向きに）軸本体部１２が回転させられる。図７（ｃ）に示されているとおり、開閉部５３が床上側で起立すると、各リンク片６１，６２，６３が連動し、リンク連結部１５が、ほぼ前方側に向けられる。
【００３７】
すなわち、開閉部５３が作動すると、リンク部６０が連動し、流通接続具１０における各接続口１７ａ，ｂの向きが変化する。換言すれば、開閉部５３が作動することで管部材１ａ，ｂの下流端側３ａ，ｂが床上側に向けられると、この下流端側３ａ，ｂの動作に追随して接続口１７ａ，ｂの向きが変化する。ここで、流通接続具１０および管部材１ａ，ｂの動作を図面に基づいて説明する。図８は、本発明の実施形態に係る流通接続構造において、図６におけるＣ−Ｃ断面が示され、流通接続具１０および管部材１ａ，ｂの動作の過程が示されている。
【００３８】
図８（ａ）に示されているとおり、開閉部５３が閉じている状態において、接続口１７ａ，ｂが下側に向けられていることで、管部材１ａ，ｂは接続口１７ａ，ｂから下方に向けて延び、上流端側２ａ，ｂ近傍が緩やかに撓むと共に、下流端側３ａ，ｂに向かうにつれて前方に向けて、ほぼ真っすぐに延びている。この状態で、開閉部５３が作動して床上側に開くと、図８（ｂ）に示されているとおり、リンク部６０が連動し、開閉部５３が開く方向と同じ向きに（または開閉軸部５４が回転する方向と同じ向きに）軸本体部１２が回転させられることで接続口１７ａ，ｂの向きが変化する。その際、管部材１ａ，ｂは、下流端側３ａ，ｂが開閉部５３に引き上げられることで、上流端側２ａ，ｂが追随して引っ張られる。図８（ｃ）に示されているとおり、開閉部５３が床上側で起立すると、接続口１７ａ，ｂが、ほぼ前方側に向けられる。その際、管部材１ａ，ｂは、下流端側３ａ，ｂが上方に向けられると共に、上流端側２ａ，ｂ近傍が緩やかに撓んだ状態で上昇する。すなわち、管部材１ａ，ｂは、下流端側３ａ，ｂの動作に追随して上流端側２ａ，ｂが変位することで、管部材１ａ，ｂ全体が変位するため、変位の過程において、上流端側２ａ，ｂの撓みの度合いが、ほぼ一定となる。
【００３９】
以上のとおり、流通接続具１０および給排水装置５０が構成されている。次に、本実施形態の効果を説明する。
【００４０】
上記したとおり、本実施形態によれば、流通接続具１０は、軸本体部１２における各可動軸部１３ａ，ｂのそれぞれの外面に、それぞれ一端側接続口１７ａおよび他端側接続口１７ｂが連接されている。各接続口１７ａ，ｂと給排水接続部５０の開閉部５３との間に、管部材１ａ，ｂが配置され、各接続口１７ａ，ｂに管部材１ａ，ｂの上流端側２ａ，ｂが接続され、この管部材１ａ，ｂの下流端側３ａ，ｂが開閉部５３の給排水接続部５５に接続されている。開閉部５３が作動して床上側に開くと、リンク部６０が連動し、開閉部５３が開く方向と同じ向きに（または開閉軸部５４が回転する方向と同じ向きに）軸本体部１２が回転させられることで接続口１７ａ，ｂの向きが変化する。その際、管部材１ａ，ｂは、下流端側３ａ，ｂが開閉部５３に引き上げられることで、上流端側２ａ，ｂが追随して引っ張られる。すなわち、管部材１ａ，ｂは、下流端側３ａ，ｂの動作に追随して上流端側２ａ，ｂが変位することで、管部材１ａ，ｂ全体が変位するため、変位の過程において、上流端側２ａ，ｂの撓みの度合いが、ほぼ一定となる。したがって、管部材１ａ，ｂの屈曲を抑止して円滑に流通させることができる。
【００４１】
本実施形態によれば、流通接続具１０のリンク連結部１５と開閉部５３とに、リンク部６０が連結されている。開閉部５３が作動して床上側に開くと、開閉部５３に第三リンク片６３が引き上げられることで（または開閉軸部５４と共に回転することで）、第二リンク片６２および第一リンク片６１が各関節部６４，６５を介して連動し、リンク連結部１５の向きが変化すると同時に、開閉部５３が開く方向と同じ向きに（または開閉軸部５４が回転する方向と同じ向きに）軸本体部１２が回転させられる。すると、管部材１ａ，ｂは、下流端側３ａ，ｂが開閉部５３に引き上げられることで、上流端側２ａ，ｂが追随して引っ張られる。すなわち、リンク部６０が作動することで、管部材１ａ，ｂの下流側３ａ，ｂと軸本体部１２とが連動する。したがって、管部材１ａ，ｂに必要以上の負荷がかかることがなく、管部材１ａ，ｂの屈曲を抑止して円滑に流通させることができる。
【００４２】
本実施形態によれば、流通接続具１０の各可動軸部１３ａ，ｂは、それぞれ一端側支持部２１ａの支持孔２２ａおよび他端側支持部２１ｂの支持孔２２ｂ挿入されることで、各支持部２１ａ，ｂに軸周りが覆われて支持されている。この構成により、各可動軸部１３ａ，ｂが、各支持部２１ａ，ｂによって外部から遮蔽されるため、各可動軸部１３ａ，ｂと各支持部２１ａ，ｂとの間に異物が挟まることを防いで各可動軸部１３ａ，ｂを円滑に作動させることができる。
【００４３】
本実施形態によれば、流通接続具１０の軸本体部１２は、左右両端に、それぞれ一端側可動軸部１３ａおよび他端側可動軸部１３ｂが形成されている。各可動軸部１３ａ，ｂは管状であり、内側にそれぞれ流路１４ａ，ｂが形成され、それぞれの外面に、一端側接続口１７ａおよび他端側接続口１７ｂが連接されている。各接続口１７ａ，ｂは軸本体部１２に対して直交して外面から突出すると共に、各可動軸部１３ａ，ｂの各流路１４ａ，ｂと連通している。
【００４４】
この構成により、例えば冷水が、一端側可動軸部１３ａおよび一端側接続口１７ａを通って管部材１ａを流通し、同様に、例えば温水が、他端側可動軸部１３ｂおよび他端側接続口１７ｂを通って管部材１ｂを流通する。したがって、例えば、冷水、温水、酸素、ガスなどの温度や性質の異なる二種類の流体を互いに干渉させずに流通させることができる。
【００４５】
上記した実施形態では、流通接続具１０は、同軸上の左右両端に形成された二つの各可動軸部１３ａ，ｂで構成されているが、他の実施形態として、単一の可動軸部で構成されていてもよい。
【００４６】
上記した実施形態では、リンク部６０が管部材１ａ，ｂ同士の間に配置されているが、他の実施形態として、軸本体部と同軸上の任意の位置にリンク部が配置されていてもよい。また、他の実施形態として、リンク部が備えられておらず、管部材をリンク部の代わりとして、開閉部の動作に追随させて流通接続具の接続口の向きを変化させる構成であってもよい。また、他の実施形態として、リンク部が備えられておらず、開閉部の動作に連動させて流通接続具の軸本体部を回転させるモーターが備えられた構成であってもよい。
【００４７】
上記した実施形態では、流通接続構造において、給排水装置５０の開閉部５３は、開閉軸部５４を軸として床上側に起立する構成としたが、管部材１ａ，ｂの変位の過程において、上流端側２ａ，ｂの撓みの度合いが、ほぼ一定となる限りにおいて、他の実施形態として、開閉部が床に対して平行な状態で昇降する構成であってもよい。
【００４８】
上記した実施形態では、流通接続具１０を流れる流体は液体であるが、他の実施形態として、例えば、酸素やガスなどの気体であってもよい。
【００４９】
上記した実施形態では、流通接続構造において、可搬式吐水装置４０はシャンプーボール４３であるが、他の実施形態として、可搬式吐水装置は、可搬式のものであれば、例えば、浴槽、洗面台、流し台、トイレ、消防設備、ガス台などであってもよい。また、給排水装置は、例えば、屋内外の散水栓やガス栓などであってもよい。
【００５０】
上記した実施形態では、流通接続構造における給排水装置５０は、床下に備えられているが、他の実施形態として、壁面や天井に用いてもよい。そのため、基準面は壁面や天井であってもよく、遮蔽空間は壁面内や天井裏などであってもよい。また、吐出空間は屋内外を問わない。
【００５１】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００５２】
１ａ，ｂ                管部材
２ａ，ｂ                上流端側
３ａ，ｂ                下流端側
４ａ，ｂ                給水配管
１０                    流通接続具
１２                    軸本体部
１３ａ                  一端側可動軸部
１３ｂ                  他端側可動軸部
１４ａ，ｂ              流路
１５                    リンク連結部
１６                    平坦面
１７ａ                  一端側接続口
１７ｂ                  他端側接続口
１８ａ，ｂ              フランジ
１９ａ，ｂ              連結リング
２０ａ〜ｄ              Ｙパッキン
２１ａ                  一端側支持部
２１ｂ                  他端側支持部
２２ａ，ｂ              支持孔
２３ａ，ｂ              ナット
２４                    連結板
２５ａ                  一端側連結部材
２５ｂ                  他端側連結部材
２６ａ，ｂ              第一連結管
２７ａ，ｂ              第二連結管
２８ａ，ｂ              支持板
２９ａ，ｂ              止水栓
４０                    可搬式吐水装置（流通接続構造）
４１                    キャスター
４２                    フレーム部
４３                    シャンプーボール
４４                    頭部支持器具
４５                    バルブ
４６                    シャワーヘッド
５０                    給排水装置（流通接続構造）
５１                    遮蔽空間
５２                    筐体
５３                    開閉部
５４                    開閉軸部
５５                    給排水接続部
５６                    給水接続口
５７                    給湯接続口
５８                    排水接続口
６０                    リンク部
６１                    第一リンク片
６２                    第二リンク片
６３                    第三リンク片
６４                    第一関節部
６５                    第二関節部
【図１】
2018004060.tif 000003
【図２】
2018004060.tif 000004
【図３】
2018004060.tif 000005
【図４】
2018004060.tif 000006
【図５】
2018004060.tif 000007
【図６】
2018004060.tif 000008
【図７】
2018004060.tif 000009
【図８】
2018004060.tif 000010